(57)【特許請求の範囲】
【請求項１】
給水管継手を保持する継手保持部材が取り付けられる、水平方向に延びる横設材を、建物の構築物に取り付けるための支持具であって、
前記横設材を支持する支持部と、
前記構築物に固定される被固定部と、
前記被固定部を前記構築物に対して位置決めする基準となる位置決め基準と、を備え、
前記位置決め基準は、前記被固定部が前記構築物に固定された際、前記給水管継手の接続口の高さ位置と同一の高さ位置となるように設けられていることを特徴とする、横設材の支持具。
【請求項２】
座付き給水管継手が取り付けられる、水平方向に延びる横設材を、建物の構築物に取り付けるための支持具であって、
前記横設材を支持する支持部と、
前記構築物に固定される被固定部と、
前記被固定部を前記構築物に対して位置決めする基準となる位置決め基準と、を備え、
前記位置決め基準は、前記被固定部が前記構築物に固定された際、前記座付き給水管継手の接続口の高さ位置と同一の高さ位置となるように設けられていることを特徴とする、横設材の支持具。
【請求項３】
請求項１に記載の、横設材の支持具と、
その支持具に支持される前記横設材に取り付けられる前記継手保持部材と、からなることを特徴とする給水管継手保持装置。
【請求項４】
請求項２に記載の、横設材の支持具と、
その支持具に支持される前記横設材に取り付けられる前記座付き給水管継手と、からなることを特徴とする給水管継手装置。
【請求項５】
請求項１に記載の、横設材の支持具と、
その支持具に支持される前記横設材と、
その横設材に取り付けられる前記継手保持部材と、からなることを特徴とする給水管継手保持装置体。
【請求項６】
請求項５に記載の給水管継手保持装置体において、
前記横設材は、その横設材の下面または上面からなる基準面を備え、
前記継手保持部材は、前記基準面に当接する第１の当接面を備え、
前記支持具は、前記基準面に当接する第２の当接面を備えて、
前記位置決め基準は、前記被固定部が前記構築物に固定された際に前記接続口の高さ位置と同一の高さ位置となるよう、前記第２の当接面から前記位置決め基準までの高さ距離が、前記第１の当接面から前記接続口までの高さ距離と同一となるように設けられていることを特徴とする給水管継手保持装置体。
【請求項７】
請求項２に記載の、横設材の支持具と、
その支持具に支持される前記横設材と、
その横設材に取り付けられる前記座付き給水管継手と、からなることを特徴とする給水管継手装置体。
【請求項８】
請求項７に記載の給水管継手装置体において、
前記横設材は、その横設材の下面または上面からなる基準面を備え、
前記座付き給水管継手は、前記基準面に当接する第１の当接面を備え、
前記支持具は、前記基準面に当接する第２の当接面を備えて、
前記位置決め基準は、前記被固定部が前記構築物に固定された際に前記接続口の高さ位置と同一の高さ位置となるよう、前記第２の当接面から前記位置決め基準までの高さ距離が、前記第１の当接面から前記接続口までの高さ距離と同一となるように設けられていることを特徴とする給水管継手装置体。
【発明の詳細な説明】
【０００１】
【発明の属する技術分野】
この発明は、給水管継手または座付き給水管継手の接続口の高さを、容易に所望の高さにすることができる、横設材の支持具、給水管継手保持装置、給水管継手装置、給水管継手保持装置体、および給水管継手装置体に関するものである。
【０００２】
【従来の技術および発明が解決しようとする課題】
従来、内部に給水管継手が収容された継手ボックス、または、座付き給水管継手を、建物の壁内に設置する場合に、例えば、間隔をおいて立設された軽量形鋼材間に、桟・あて木等の横設材を架設固定し、その横設材の上面または下面に、前記継手ボックスまたは給水管継手を、ビス等で固定していた。
【０００３】
しかし、前記継手ボックスまたは座付き給水管継手の取付作業においては、給水管継手または座付き給水管継手の接続口の高さが、その接続口に接続される水栓等の設置高さに合わせた、所望の高さとなるように、それら継手ボックスまたは座付き給水管継手が取り付けられる横設材を、前記軽量形鋼材間に所要の高さで架設しなければならず、この作業は簡単ではなかった。つまり、給水管継手または座付き給水管継手の接続口から、横設材までの距離を測り、前記接続口の所望の高さから前記距離分上下にずれた高さを求めて、その高さ位置に、横設材を架設固定しなければならず、この作業は、非常に面倒であった。
【０００４】
この発明は、上記した従来の欠点を解決するためになされたものであり、その目的とするところは、給水管継手または座付き給水管継手の接続口の高さを、容易に所望の高さにすることができる、横設材の支持具、給水管継手保持装置、給水管継手装置、給水管継手保持装置体、および給水管継手装置体を提供することにある。
【０００５】
【課題を解決するための手段】
この発明に係る横設材の支持具、給水管継手保持装置、給水管継手装置、給水管継手保持装置体、および給水管継手装置体は、前記目的を達成するために、次の構成からなる。すなわち、
請求項１に記載の発明に係る横設材の支持具は、給水管継手を保持する継手保持部材が取り付けられる、水平方向に延びる横設材を、建物の構築物に取り付けるための支持具である。この支持具は、前記横設材を支持する支持部と、前記構築物に固定される被固定部と、その被固定部を前記構築物に対して位置決めする基準となる位置決め基準と、を備える。そして、この位置決め基準は、前記被固定部が前記構築物に固定された際、前記給水管継手の接続口の高さ位置と同一の高さ位置となるように設けられている。
【０００６】
このように、支持具に備わる位置決め基準は、前記被固定部が前記構築物に固定された際、給水管継手の接続口の高さ位置と同一の高さ位置となるように設けられており、支持具を、その支持具の位置決め基準が、接続口の所望の高さ位置と同一の高さ位置となるようにして、建物の構築物に固定すれば、この支持具、横設材、継手保持部材を介して保持される給水管継手の接続口の高さ位置は、前記所望の高さ位置となる。
【０００７】
また、請求項２に記載の発明に係る横設材の支持具は、座付き給水管継手が取り付けられる、水平方向に延びる横設材を、建物の構築物に取り付けるための支持具である。そして、この支持具は、前記横設材を支持する支持部と、前記構築物に固定される被固定部と、その被固定部を前記構築物に対して位置決めする基準となる位置決め基準と、を備える。そして、この位置決め基準は、前記被固定部が前記構築物に固定された際、前記座付き給水管継手の接続口の高さ位置と同一の高さ位置となるように設けられている。ここで、座付き給水管継手とは、この給水管継手を横設材に取り付けるための座面を備えた給水管継手をいう。
【０００８】
このように、支持具に備わる位置決め基準は、前記被固定部が前記構築物に固定された際、座付き給水管継手の接続口の高さ位置と同一の高さ位置となるように設けられており、支持具を、その支持具の位置決め基準が、接続口の所望の高さ位置と同一の高さ位置となるようにして、建物の構築物に固定すれば、この支持具、横設材を介して保持される座付き給水管継手の接続口の高さ位置は、前記所望の高さ位置となる。
【０００９】
また、請求項３に記載の発明に係る給水管継手保持装置は、請求項１に記載の、横設材の支持具と、その支持具に支持される前記横設材に取り付けられる前記継手保持部材と、からなる。こうして、この給水管継手保持装置によって、請求項１に記載の、横設材の支持具と、同様の作用を得ることができる。
【００１０】
また、請求項４に記載の発明に係る給水管継手装置は、請求項２に記載の、横設材の支持具と、その支持具に支持される前記横設材に取り付けられる前記座付き給水管継手と、からなる。こうして、この給水管継手装置によって、請求項２に記載の、横設材の支持具と、同様の作用を得ることがてきる。
【００１１】
また、請求項５に記載の発明に係る給水管継手保持装置体は、請求項１に記載の、横設材の支持具と、その支持具に支持される前記横設材と、その横設材に取り付けられる前記継手保持部材と、からなる。こうして、この給水管継手保持装置体によって、請求項１に記載の、横設材の支持具と、同様の作用を得ることができる。
【００１２】
また、請求項６に記載の発明に係る給水管継手保持装置体のように、請求項５に記載の給水管継手保持装置体において、前記横設材は、その横設材の下面または上面からなる基準面を備え、前記継手保持部材は、前記基準面に当接する第１の当接面を備え、前記支持具は、前記基準面に当接する第２の当接面を備えてもよい。そして、前記位置決め基準は、前記被固定部が前記構築物に固定された際に前記接続口の高さ位置と同一の高さ位置となるよう、前記第２の当接面から前記位置決め基準までの高さ距離が、前記第１の当接面から前記接続口までの高さ距離と同一となるように設けられている。こうして、支持具における第２の当接面から位置決め基準までの高さ距離、つまりは横設材の基準面から位置決め基準までの高さ距離が、継手保持部材における第１の当接面から給水管継手の接続口までの高さ距離、つまりは横設材の基準面から接続口までの高さ距離と、同一となることで、位置決め基準の高さ位置は、接続口の高さ位置と同一となる。
【００１３】
また、請求項７に記載の発明に係る給水管継手装置体は、請求項２に記載の、横設材の支持具と、その支持具に支持される前記横設材と、その横設材に取り付けられる前記座付き給水管継手と、からなる。こうして、この給水管継手装置体によって、請求項２に記載の、横設材の支持具と、同様の作用を得ることができる。
【００１４】
また、請求項８に記載の発明に係る給水管継手装置体のように、請求項７に記載の給水管継手装置体において、前記横設材は、その横設材の下面または上面からなる基準面を備え、前記座付き給水管継手は、前記基準面に当接する第１の当接面を備え、前記支持具は、前記基準面に当接する第２の当接面を備えてもよい。そして、前記位置決め基準は、前記被固定部が前記構築物に固定された際に前記接続口の高さ位置と同一の高さ位置となるよう、前記第２の当接面から前記位置決め基準までの高さ距離が、前記第１の当接面から前記接続口までの高さ距離と同一となるように設けられている。こうして、支持具における第２の当接面から位置決め基準までの高さ距離、つまりは横設材の基準面から位置決め基準までの高さ距離が、座付き給水管継手における第１の当接面から接続口までの高さ距離、つまりは横設材の基準面から接続口までの高さ距離と、同一となることで、位置決め基準の高さ位置は、接続口の高さ位置と同一となる。
【００１５】
【発明の実施の形態】
以下、この発明に係る横設材の支持具、給水管継手保持装置、給水管継手装置、給水管継手保持装置体、および給水管継手装置体の実施の形態を図面に基づいて説明する。
【００１６】
図１ないし図６は、本発明に係る横設材の支持具、給水管継手保持装置、給水管継手装置、給水管継手保持装置体、および給水管継手装置体の一実施の形態を示す。図中符号１は、建物の構築物としての間柱である。２は、給水管継手としてのエルボーである。３は、継手保持部材としての継手ボックスであり、エルボー２を収容するようにして保持する。４は、水平方向に延びる横設材であり、この横設材４に前記継手ボックス３が取り付けられる。５は、支持具であり、横設材４を、前記間柱１に取り付けるためのものである。
【００１７】
ここで、間柱１は、例えば、軽量形鋼材からなり、リップ溝形鋼と類似の形状であって、底壁１ａと、その底壁１ａの両端から直角に折れ曲がって延びる側壁１ｂ、１ｂと、それら側壁１ｂ、１ｂの先端から互いに接近するように直角に折れ曲がって若干延びる上壁１ｃ、１ｃと、その上壁１ｃ、１ｃの先端から底壁１ａ側に直角に折れ曲がって若干延びる内壁１ｄ、１ｄとから構成されている。
【００１８】
エルボー２は、その大半が、継手ボックス３の内部に収容されて、水平方向に延びる一方の接続口２ａの先端部分が、継手ボックス３の後述する前面開口部３ｋから外部に露出している。この接続口２ａには、内側の雌ネジ部（図示せず）に、キャップ６がねじ込まれているが、このキャップ６を取り外すことで、接続口２ａに水栓等の給水器具（図示せず）を取り付けることができる。また、エルボー２の、鉛直下方に延びる他方の接続口２ｂには、継手ボックス３の後述する下面開口部３ｍから内部に挿入される給水管７が接続されている。こうして、給水管７を通ってエルボー２に流れる水や湯が、一方の接続口２ａから、水栓等の給水器具に供給される。
【００１９】
継手ボックス３は、前述のように、給水管継手としてのエルボー２を収容するものであり、給水管継手の種類、サイズ等に応じて、Ａ２ボックス、Ａ３ボックス等の種々のタイプがあるが、図示実施の形態においては、Ａ２ボックスタイプを示している。この継手ボックス３は、略直方体中空形状の本体部３ａと、本体部３ａの前面上部から前方に突出して本体部３ａの内外に通じる第１の筒部３ｂと、本体部３ａの下面中央から下方に突出して本体部３ａの内外に通じる第２の筒部３ｃとを備えている。さらに、継手ボックス３は、本体部３ａの上側の左右のコーナー部から上方に若干延びる延出片３ｄ、３ｄと、それら延出片３ｄ、３ｄから互いに離れるように直角に折れ曲がって水平方向に若干延びる第１の被取付部３ｅ、３ｅとを備えている。そして、第１の被取付部３ｅには、上下方向に貫通する取付用の孔３ｆ、３ｆが形成されている。また、この第１の被取付部３ｅの上面は、横設材４の後述する基準面としての下面４ａに当接する第１の当接面となっており、この継手ボックス３に収容されるエルボー２の一方の接続口２ａは、上面３ｇからの高さ距離Ｈ１に位置する。さらに、継手ボックス３は、本体部３ａの左右の側面の前端部分から側方に延びる第２の被取付部３ｈ、３ｈを備えている。そして、この第２の被取付部３ｈにも、前後方向に貫通する取付用の孔３ｉ、３ｉが形成されている。また、継手ボックス３は、第１の筒部３ｂ内にねじ込まれたリング状のロックリング３ｊを有しており、このロックリング３ｊの内側が、前記エルボー２の一方の接続口２ａが挿通される前面開口部３ｋとなっている。また、第２の筒部３ｃの内側は、前記給水管７が挿入される下面開口部３ｍとなっており、さらに、この下面開口部３ｍには、給水管７を収容するようにして鞘管８が挿入されている。そして、この鞘管８は、略Ｕ字状のロックピン９により、第２の筒部３ｃに止められる。
【００２０】
横設材４は、例えば、発砲ポリスチレン樹脂からなる押し出し成形品であり、断面矩形形状であって、基準面としての下面４ａ、および上面４ｂに、長手方向に沿ってその全長に渡って形成される複数の案内溝４ｃ、４ｃが、適宜ピッチで設けられている。そして、この横設材４には、継手ボックス３が、その上面３ｇが横設材４の下面４ａに当接するようにして、第１の被取付部３ｅ、３ｅの孔３ｆ、３ｆに挿通されてこの横設材４にねじ込まれるビス１０、１０によって取り付けられる。
【００２１】
支持具５は、例えば、鋼板等をプレス加工することによって形成されており、横設材４を支持する支持部５ａと、間柱１に固定される被固定部５ｂと、その被固定部５ｂを間柱１に対して位置決めする基準となる位置決め基準Ｒとを備えている。支持部５ａは、横設材４の一方の端部部分の、下面４ａ、上面４ｂおよび後面４ｄを覆うように、下片５ｃ、上片５ｄおよび後片５ｅが、断面コの字状に折り曲げられて形成されている。こうして、下片５ｃの内面５ｆは、横設材４の基準面としての下面４ａに当接する第２の当接面となっている。そして、支持部５ａの下片５ｃおよび上片５ｄには、それぞれ、この支持部５ａの長手方向に沿って延びる長孔５ｇが設けられており、これら長孔５ｇ、５ｇに挿通されて横設材４にねじ込まれるビス１１、１１によって、横設材４は、支持部５ａに固定される。さらに、支持部５ａの断面コの字の開口側となる、下片５ｃおよび上片５ｄの縁部には、それぞれ、この支持部５ａの長手方向に沿って延びる第１の切欠き５ｈが形成れており、さらに、その第１の切り欠き５ｈの一方端には、間柱１の上壁１ｃおよび内壁１ｄとの干渉を防ぐために、略矩形形状の第２の切欠き５ｉが形成されている。また、被固定部５ｂは、下部片５ｊと上部片５ｋとからなり、これら下部片５ｊおよび上部片５ｋは、支持部５ａの長手方向の、第２の切欠き５ｉとは反対側に位置する、下片５ｃおよび上片５ｄの一端から直角に折れ曲がって、上下に対称となるようにして互いに離れる方向に延びている。
【００２２】
支持具５における位置決め基準Ｒは、下部片５ｊに描かれた第１のラインＲ１からなり、この第１のラインＲ１は、下片５ｃの内面５ｆから第１のラインＲ１までの高さ距離Ｌ１が、前記高さ距離Ｈ１と同一となるように設けられている。そして、第１のラインＲ１にほぼ接するようにして、上側に「Ａ２ボックス」、下側に「Ａ４ボックス」の文字が描かれている。つまり、この第１のラインＲ１は、Ａ２ボックスタイプの継手ボックス３の他に、Ａ４ボックスタイプの継手ボックスに対応している。同様にして、Ａ３ボックスタイプの継手ボックスおよび、座付き給水管継手としての座付きエルボー２１のための位置決め基準Ｒが、下片５ｃの内面５ｆからの高さ距離Ｌ２の位置に描かれた第２のラインＲ２によって示されている。ここで、座付きエルボー２１は、図６に示すように、継手ボックス３に収容されることなく、直接、横設材４に取り付けられるものであり、上端に、横設材４の下面４ａに取り付けるための座面２１ａを備えており、その座面２１ａが第１の当接面を兼ねている。さらに、Ａ４Ｎタイプの継手ボックスのための位置決め基準Ｒが、下片５ｃの内面５ｆからの高さ距離Ｌ３の位置となる、下部片５ｊの下端Ｒ３によって示されている。そして、高さ距離Ｌ２、Ｌ３もまた、対応する継手ボックスや座付きエルボー２１の、横設材４の下面４ａに当接する第１の当接面としての上面や座面２１ａから、エルボーの接続口や座付きエルボー２１の接続口２１ｂまでの高さ距離（座付きエルボー２１にあっては、高さ距離Ｈ２）と同一となっている。
【００２３】
そして、上部片５ｋにも、第１のラインＲ１、第２のラインＲ２および下端Ｒ３とは上下に対称となる位置に、同様にして、位置決め基準Ｒとなる、第３のラインＲ４、第４のラインＲ５および上端Ｒ６が、描かれまたは示されており、さらに、その位置決め基準Ｒに対応する文字が描かれている。この上部片５ｋにおける位置決め基準Ｒは、継手ボックス３や座付きエルボー２１が、上下が反転されて、横設材４の上面４ｂに取り付けられる場合に適用される。そして、この場合には、横設材４の上面４ｂが、基準面となり、支持具５の上片５ｄの内面５ｍが、第２の当接面となる。
【００２４】
また、このように、位置決め基準Ｒ（Ｒ１ないしＲ６）を設けることで、この位置決め基準Ｒ（Ｒ１ないしＲ６）は、支持具５の下部片５ｊおよび上部片５ｋが間柱１に固定された際に、エルボー２等の接続口２ａ等や座付きエルボー２１の接続口２１ｂの高さ位置と同一の高さ位置となる。
【００２５】
また、下部片５ｊおよび上部片５ｋの第１ないし第４のラインＲ１、Ｒ２、Ｒ４、Ｒ５上には、それぞれ、孔５ｎが設けられており、これら孔５ｎ、５ｎに挿通されて間柱１の底壁１ａにねじ込まれるビス１２、１２によって、下部片５ｊおよび上部片５ｋが間柱１に固定される。こうして、横設材４の一方の端部部分は、支持具５を介して一方側の間柱１に取り付けられ、同様にして、他方の端部部分もまた、支持具５を介して他方側の間柱１に取り付けられる。
【００２６】
以上のように、横設材４、支持具５および継手ボックス３（座付きエルボー２１）は、構成されており、支持具５と、継手ボックス３（座付きエルボー２１）との組合せが、給水管継手保持装置（給水管継手装置）となり、また、支持具５と、横設材４と、継手ボックス３（座付きエルボー２１）との組合せが、給水管継手保持装置体（給水管継手装置体）となっている。また、間柱１、支持具５、横設材４および、エルボー２を収容する継手ボックス３（座付きエルボー２１）は、壁内に配備されており、エルボー２の接続口２ａ（座付きエルボー２１の接続口２１ｂ）が、一方の壁面パネル１３から壁外に臨んでいる。そして、接続口２ａの先端部分には、化粧リング１４およびロックナット１５が嵌められる。
【００２７】
次に、以上の構成からなる横設材の支持具、給水管継手保持装置、給水管継手装置、給水管継手保持装置体、および給水管継手装置体の作用効果について説明する。支持具５に備わる位置決め基準Ｒとなる第１のラインＲ１は、下部片５ｊおよび上部片５ｋが間柱１に固定された際、継手ボックス３に収容されるエルボー２の接続口２ａの高さ位置と同一の高さ位置となるように設けられており、支持具５を、その支持具５の第１のラインＲ１が、接続口２ａの所望の高さ位置と同一の高さ位置となるようにして、間柱１に固定すれば、この支持具５、横設材４、継手ボックス３を介して保持されるエルボー２の接続口２ａの高さ位置は、前記所望の高さ位置となる。従って、エルボー２の接続口２ａの高さを、容易に所望の高さにすることができる。具体的には、間柱１に、接続口２ａの所望の高さ位置と同一の高さ位置に基準ラインＳを罫書き、この基準ラインＳと、支持具５の第１のラインＲ１とが一致する高さで、支持具５を間柱１に固定する。
【００２８】
そして、この実施の形態においては、支持具５における下片５ｃの内面５ｆから第１のラインＲ１までの高さ距離Ｌ１、つまりは横設材４の下面４ａからラインＲ１までの高さ距離が、継手ボックス３における上面３ｇからエルボー２の接続口２ａまでの高さ距離Ｈ１、つまりは横設材４の下面４ａから接続口２ａまでの高さ距離と、同一となることで、第１のラインＲ１の高さ位置は、接続口２ａの高さ位置と同一となる。このように、横設材４の共通する下面４ａを基準とすることで、簡単に、第１のラインＲ１の高さ位置を、接続口２ａの高さ位置と同一にすることができる。
【００２９】
また、座付きエルボー２１の場合においても、支持具５に備わる第２のラインＲ２は、下部片５ｊおよび上部片５ｋが間柱１に固定された際、座付きエルボー２１の接続口２１ｂの高さ位置と同一の高さ位置となるように設けられており、支持具５を、その支持具５の第２のラインＲ２が、接続口２１ｂの所望の高さ位置と同一の高さ位置となるようにして、間柱１に固定すれば、この支持具５、横設材４を介して保持される座付きエルボー２１の接続口２１ｂの高さ位置は、前記所望の高さ位置となる。従って、座付きエルボー２１の接続口２１ｂの高さを、容易に所望の高さにすることができる。
【００３０】
そして、座付きエルボー２１の場合においても、支持具５における下片５ｃの内面５ｆから第２のラインＲ２までの高さ距離Ｌ２、つまりは横設材４の下面４ａからラインＲ２までの高さ距離が、座付きエルボー２１における座面２１ａから接続口２１ｂまでの高さ距離Ｈ２、つまりは横設材４の下面４ａから接続口２１ｂまでの高さ距離と、同一となることで、第２のラインＲ２の高さ位置は、接続口２１ｂの高さ位置と同一となる。このように、座付きエルボー２１の場合であっても、横設材４の共通する下面４ａを基準とすることで、簡単に、ラインＲ２の高さ位置を、接続口２１ｂの高さ位置と同一にすることができる。
【００３１】
また、横設材４の長手方向に沿って形成された複数の案内溝４ｃ、４ｃは、この横設材４に、各種の継手ボックス３等や座付きエルボー２１を取り付けるためのビス１０、そして支持具５にこの横設材４を取り付けるためのビス１１を、横設材４にねじ込む際に、ビス１０、１１の先端がいずれかの案内溝４ｃにちょうど嵌まるように設けられている。したがって、ビス１０、１１が、横設材４の長手方向と直交する方向には位置ずれすることなく、そのビス１０、１１を横設材４にねじ込むことができ、そのねじ込み作業が容易に行われる。
【００３２】
なお、本発明は、上述した実施の形態に限定されるわけではなく、その他種々の変更が可能である。例えば、エルボー２を収容する継手ボックス３の代わりに、エルボー２を単に保持するのみで、例えば後方が解放された継手保持部材を使用してもよい。また、給水管継手は、エルボー２に限定されるものではなく、その他の形状の給水管継手であってもよい。
【００３３】
また、横設材４の下面４ａを基準面とする代わりに、上面４ｂを基準面とすることで、その上面４ｂに、継手ボックス３や座付きエルボー２１を上下反転して取り付けてもよい。また、支持具５は、その外形形状および位置決め基準Ｒが上下対称に形成されており、この支持具５を、上下を反転して間柱１に取り付けることもできる。また、支持具５は、間柱１の内側に取り付けられているが、反対に外側に取り付けられてもよい。
【００３４】
また、継手ボックス３は、横設材４の下面４ａや上面４ｂに取り付けられるが、被取付部３ｅの形状を変更することで、横設材４の後面４ｄ等に取り付けられてもよい。同様にして、座付きエルボー２１もまた、座面２１ａを含む座部の形状を変更することで、横設材４の後面４ｄ等に取り付けられてもよい。
【００３５】
また、横設材４は、その一方および他方の端部部分が、支持具５、５によって支持されるが、いずれかの端部部分または、中間部分のみによって支持できるのであれば、端部部分または中間部分の一カ所のみが支持具５によって支持されてもよい。
【００３６】
【発明の効果】
以上、詳述したところから明らかなように、この発明に係る横設材の支持具、給水管継手保持装置、給水管継手装置、給水管継手保持装置体、および給水管継手装置体によれば、次の効果がある。
【００３７】
請求項１または２に記載された横設材の支持具、請求項３に記載された給水管継手保持装置、請求項４に記載された給水管継手装置、請求項５に記載された給水管継手保持装置体、請求項７に記載された給水管継手装置体によれば、支持具を、その支持具の位置決め基準が、給水管継手または座付き給水管継手の接続口の所望の高さ位置と同一の高さ位置となるようにして、建物の構築物に固定することで、給水管継手または座付き給水管継手の接続口の高さを、容易に所望の高さにすることができる。
【００３８】
また、請求項６に記載された給水管継手保持装置体、請求項８に記載された給水管継手装置体によれば、支持具における第２の当接面から位置決め基準までの高さ距離を、継手保持部材または座付き給水管継手における第１の当接面から接続口までの高さ距離と同一にすることで、位置決め基準の高さ位置を、接続口の高さ位置と同一にすることができる。
【図面の簡単な説明】
【図１】この発明に係る横設材の支持具、給水管継手保持装置、給水管継手装置、給水管継手保持装置体、および給水管継手装置体の一実施の形態の、給水管継手保持装置体を示す正面図である。
【図２】同じく、図１におけるＡ−Ａ線による拡大断面図である。
【図３】同じく、図１におけるＢ−Ｂ線による拡大断面図である。
【図４】同じく、図１におけるＣ−Ｃ線による拡大断面図である。
【図５】同じく、支持具の拡大斜視図である。
【図６】同じく、給水管継手装置体を示す、図１相当図である。
【符号の説明】
１  間柱（構築物）                ２  エルボー（給水管継手）
２ａ  一方の接続口（接続口）      ３  継手ボックス（継手保持部材）
３ｇ  上面（第１の当接面）        ４  横設材
４ａ  下面（基準面）              ５  支持具
５ａ支持部                        ５ｂ  被固定部
５ｆ  内面（第２の当接面）  ２１  座付きエルボー（座付き給水管継手）
２１ａ  座面（第１の当接面）      ２１ｂ  接続口
Ｈ１  高さ距離                    Ｈ２  高さ距離
Ｌ１  高さ距離                    Ｌ２  高さ距離
Ｌ３  高さ距離                    Ｒ  位置決め基準
Ｒ１  第１のライン（位置決め基準）
Ｒ２  第２のライン（位置決め基準）
Ｒ３  下端（位置決め基準）
Ｒ４  第３のライン（位置決め基準）
Ｒ５  第４のライン（位置決め基準）
Ｒ６  上端（位置決め基準）
【図１】
0003560873.tif 000002
【図２】
0003560873.tif 000003
【図３】
0003560873.tif 000004
【図４】
0003560873.tif 000005
【図５】
0003560873.tif 000006
【図６】
0003560873.tif 000007